(57)【要約】【課題】できるかぎりシンプルな回路と、低価格の部品を用いて、容易に、種々の方法でブラシレスモータの出力を制御し得る電子回路装置を提案する。【解決手段】ブラシレスモータの出力を制御する電子回路装置であって、第一番目の方法では、電子回路装置に実装されたコネクターのピンの短絡又は開放によって出力を制御し、第２番目の方法では、直流電源を接続するコネクターのピンの位置によって出力を制御し、第３番目の方法では、コネクターのピンに印加する電圧を変化させることによって制御し、第４番目の方法では、コネクターのピンに印加するパルス電圧のデユーティ比を変化させることによって出力を制御し得る電子回路装置を、共通のプリント基板に共通部品が実装された基板に対して、小数の部品の追加、ジャンパーの短絡または開放することによって実現する。【選択図】図１
2006345632.tif 000002
【特許請求の範囲】
【請求項１】
ブラシレスモータを制御するための電子回路装置であって、コネクター１０１と、３端子レギュレータ１０２と、抵抗１０３と、抵抗１０４と、制御ＩＣ１０５を備え、
コネクター１０１の１番ピンは３端子レギュレータ１０２の入力ピンに接続され、前記３端子レギュレータ１０２の出力ピンは抵抗１０３の一端と前記制御ＩＣ１０５のＶｃｃピンとに接続され、前記抵抗１０３の他端は抵抗１０４の 一端と制御ＩＣ１０５のＶｃｔｌピンに接続され、前記抵抗１０４の他端は前記コネクター１０１の４番ピンに接続されて、
ブラシレスモータに高出力を発揮させる場合には、前記コネクター１０１の１番ピンに電源電圧を印加することにより、前記コネクター１０１の１番ピンに与えられた直流電源電圧が前記３端子レギュレータ１０２の入力ピンに入り、前記３端子レギュレータ１０２の出力ピンからの電圧が前記抵抗１０３を通して、前記制御ＩＣ１０５のＶｃｔｌピンに伝わり、
他方、ブラシレスモータに低出力を発揮させる場合には、前記コネクター１０１の３番ピンを接地し、前記コネクター１０１の３番ピンと４番ピンをジャンパーで接続することにより、前記コネクター１０１の１番ピンに与えられた電源電圧が前記３端子レギュレータ１０２の入力ピンに入り、前記３端子レギュレータ１０２の出力ピンからの電圧が前記抵抗１０３と前記抵抗１０４によって分圧され、前記分圧された電圧が前記制御ＩＣ１０５のＶｃｔｌピンに伝わるように構成されていることを特徴とする  ブラシレスモータを制御するための電子回路装置。
【請求項２】
ブラシレスモータを制御するための電子回路装置であって、コネクター１０１と、３端子レギュレータ１０２と、抵抗１０３と、抵抗１０４と、制御ＩＣ１０５と、ダイオード１０６と、NPN型トランジスター２０２を備え、
コネクター１０１の１番ピンは３端子レギュレータ１０２の入力ピンとダイオード１０６のカソードに接続され、前記３端子レギュレータ１０２の出力ピンは抵抗１０３の一端と前記制御ＩＣ１０５のＶｃｃピンとに接続され、前記抵抗１０３の他端は抵抗１０４の一端と制御ＩＣ１０５のＶｃｔｌピンに接続され、前記抵抗１０４の他端はNPN型トランジスター２０２のコレクターに接続され、前記NPN型トランジスター２０２のベースはコネクター１０１の２番ピンとダイオード１０６のアノードに接続されて、
ブラシレスモータに高出力を発揮させる場合には、前記コネクター１０１の１番ピンに直流電源電圧を印加することにより、前記コネクター１０１の１番ピンに与えられた直流電源電圧が前記３端子レギュレータ１０２の 入力ピンに入り、この際に前記ダイオード１０６はカソードの電圧がアノードの電圧より高いので導通することも無く、NPN型トランジスター２０２もオンしないことにより前記抵抗１０４に電流は流れず、前記３端子レギュレータ１０２の 出力ピンからの電圧が前記抵抗１０３を通して、前記制御ＩＣ１０５のＶｃｔｌピンに伝わり、
他方、ブラシレスモータに低出力を発揮させる場合には、前記コネクター１０１の２番ピンに直流電源電圧を印加することにより、前記ダイオード１０６のアノードに直流電源電圧が伝わり、前記ダイオード１０６は導通し、前記直流電源電圧より０．７Ｖ程度低い電圧が前記３端子レギュレータ１０２の入力ピンに入り、また前記コネクター１０１の２番ピンに与えられた直流電源電圧が前記NPN型トランジスター２０２のベースにも伝わることによって、前記NPN型トランジスター２０２がオン状態となって、前記抵抗１０４に 電流が流れ、前記制御ＩＣ１０５のＶｃｔｌピンには、３端子レギュレータ１０２の出力ピンの電位と前記NPN型トランジスター２０２のコレクターの電位の電圧差を前記抵抗１０３と前記抵抗１０４とで分圧した結果の電圧が伝わるように構成されていることを特徴とするブラシレスモータを制御するための電子回路装置。
【請求項３】
ブラシレスモータを制御するための電子回路装置であって、コネクター１０１と、３端子レギュレータ１０２と、抵抗１０４と、制御ＩＣ１０５を備え、
コネクター１０１の１番ピンは３端子レギュレータ１０２の入力ピンに接続され、前記３端子レギュレータ１０２の出力ピンは前記制御ＩＣ１０５のＶｃｃピンに接続され、前記抵抗１０４の一端は制御ＩＣ１０５のＶｃｔｌピンに接続され、前記抵抗１０４の他端は前記コネクター１０１の４番ピンに接続されて、
前記コネクター１０１の４番ピンに与えた制御電圧は前記抵抗１０４を通じて前記制御ＩＣ１０５Ｖｃｔｌピンに伝わることにより、ブラシレスモータの出力を前記コ  ネクター１０１の４番ピンに与える直流電圧の値を変えることによって制御できるように構成されていることを特徴とする電子回路装置。
【請求項４】
ブラシレスモータを制御するための電子回路装置であって、コネクター１０１と、３端子レギュレータ１０２と、抵抗１０４と、抵抗１０８と、コンデンサー１０９と、制御ＩＣ１０５を備え、
コネクター１０１の１番ピンは３端子レギュレータ１０２の入力ピンに接続され、前記３端子レギュレータ１０２の出力ピンは抵抗１０８の一端と前記制御ＩＣ１０５のＶｃｃピンとに接続され、前記抵抗１０８の他端はコネクター１０１の４番ピンと抵抗１０４の一端に接続され、前記抵抗１０４の他端は制御ＩＣ１０５のＶｃｔｌピンとコンデンサー１０９の一端に接続されて、
前記コネクター１０１の４番ピンにパルス状の電圧を与えると、前記電圧は前記 抵抗１０８と、前記コンデンサー１０９によって積分され、前記積分された電圧が前記制御ＩＣ１０５Ｖｃｔｌピンに伝わることにより、ブラシレスモータの出力を前記コ  ネクター１０１の４番ピンに与えるパルス電圧のパルス幅を変えることによって制御できるように構成されていることを特徴とする電子回路装置。
【請求項５】
ブラシレスモータを制御するための電子回路装置であって、コネクター１０１と、３端子レギュレータ１０２と、抵抗１０４と、制御ＩＣ１０５と、第１ジャンパー１１０と、第２ジャンパー１１１と、を備え、
前記コネクター１０１の１番ピンは前記３端子レギュレータ１０２の 入力ピンに接続され、前記３端子レギュレータ１０２の出力ピンは前記制御ＩＣ１０５のＶｃｃピンに接続され、前記抵抗１０４の一端は前記制御ＩＣ１０５のＶｃｔｌピンに接続され、前記抵抗１０４の他端は第２ジャンパー１１１の１番ピンに接続され、前記第２ジャンパー１１１の２番ピンは前記コネクター１０１の４番ピンに接続され、前記コネクター１０１の２番ピンは前記第１ジャンパー１１０の１番ピンに接続された基本回路装置において、
前記ブラシレスモータの出力を前記コネクター１０１の３番ピンと４番ピンを接続するか開放するかによって制御したい場合には、
前記基本回路装置に対して、前記基本回路装置を構成する部品に抵抗１０３を加えて、前記抵抗１０３の一端を前記３端子レギュレータ１０２の出力ピンに接続し、前記抵抗１０３の他端を前記制御ＩＣ１０５のＶｃｔｌピンに接続し、前記第１ジャンパー１１０の１番ピンと２番ピンを接続し、前記第２ジャンパー１１１の１番ピンと２番ピンを接続して使用し、
前記ブラシレスモータの出力を、直流電源電圧を印加するピンを変えることによって制御したい場合には、
前記基本回路装置に対して、前記基本回路装置を構成する部品に抵抗１０３と、ダイオード１０６と、NPN型トランジスター２０２と、を加えて、前記ダイオード１０６のカソードを前記コネクター１０１の１番ピンに接続し、前記ダイオード１０６のアノードを前記コネクター１０１の２番ピンに接続し、前記抵抗１０３の一端を前記３端子レギュレータ１０２の出力ピンに接続し、前記抵抗１０３の他端を前記制御ＩＣ１０５のＶｃｔｌピンに接続し、前記NPN型トランジスター２０２のコレクタ ーは前記第２ジャンパー１１１の１番ピンに接続し、前記NPN型トランジスター２０２のベースは前記ダイオード１０６のアノードに接続し、前記NPN型トランジスター２０２のエミッタを接地して使用し、
前記ブラシレスモータの出力を、前記コネクター１０１の４番ピンに与える電圧を変えることによって制御したい場合には、
前記基本回路装置において、前記第１ジャンパー１１０の１番ピンと２番ピンを接続し、前記第２ジャンパー１１１の１番ピンと２番ピンを接続して使用し
ブラシレスモータの出力を前記コネクター１０１の４番ピンに与えるパルス電圧のパルス幅を変えることによって制御したい場合には、
前記基本回路装置に対して、前記基本回路装置を構成する部品に抵抗１０８と、コンデンサー１０９を加えて、
前記抵抗１０８の一端を前記３端子レギュレータ１０２の出力ピンに接続し、
前記抵抗１０８の他端を前記第２ジャンパー１１１の１番ピンに接続し、
前記コンデンサー１０９の一方の電極を前記制御ＩＣ１０５のＶｃｔｌピンに接続し、
前記コンデンサー１０９の他方の電極を接地し、前記第１ジャンパー１１０の１番ピンと２番ピンを接続し、前記第２ジャンパー１１１の１番ピンと２番ピンを接続して使用することを特徴とする電子回路装置。
【請求項６】
ブラシレスモータを制御するための電子回路装置を製 造する方法であって、
最初に、ブラシレスモータを制御するための電子回路装置であって、
コネクター１０１と、３端子レギュレータ１０２と、抵抗１０４と、制御ＩＣ１０５と、第１ジャンパー１１０と、第２ジャンパー１１１と、を備え、
前記コネクター１０１の１番ピンは前記３端子レギュレータ１０２の 入力ピンに接続され、前記３端子レギュレータ１０２の出力ピンは前記制御ＩＣ１０５のＶｃｃピンに接続され、前記抵抗１０４の一端は前記制御ＩＣ１０５のＶｃｔｌピンに接続され、前記抵抗１０４の他端は第２ジャンパー１１１の１番ピンに接続され、前記第２ジャンパー１１１の２番ピンは前記コネクター１０１の４番ピンに接続され、前記コネクター１０１の２番ピンは前記第１ジャンパー１１０の１番ピンに接続した基本回路装置を製造し、
前記ブラシレスモータの出力を前記コネクター１０１の３番ピンと４番ピンを接続するか開放するかによって制御したい場合には、
前記基本回路装置に対して、前記基本回路装置を構成する部品に抵抗１０３を加えて、前記抵抗１０３の一端を前記３端子レギュレータ１０２の出力ピンに接続し、前記抵抗１０３の他端を前記制御ＩＣ１０５のＶｃｔｌピンに接続し、前記第１ジャンパー１１０の１番ピンと２番ピンを接続し、前記第２ジャンパー１１１の１番ピンと２番ピンを接続して電子回路装置を製造し、
前記ブラシレスモータの出力を、直流電源電圧を印加するピンを変えることによって制御したい場合には、
前記基本回路装置に対して、前記基本回路装置を構成する部品に抵抗１０３と、ダイオード１０６と、NPN型トランジスター２０２と、を備え加えて、前記ダイオード１０６のカソードを前記コネクター１０１の１番ピンに接続し、前記ダイオード１０６の アノードを前記コネクター１０１の２番ピンに接続し、前記抵抗１０３の一端を前記３端子レギュレータ１０２の出力ピンに接続し、前記抵抗１０３の他端を前記制御ＩＣ１０５のＶｃｔｌピンに接続し、前記NPN型トランジスター２０２のコレクターは前記第２ジャンパー１１１の１番ピンに接続し、前記NPN型トランジスター２０２のベースは前記ダイオード１０６のアノードに接続し、前記NPN型トランジスター２０２のエミッタを接地して電子回路装置を製造し、
前記ブラシレスモータの出力を、前記コネクター１０１の４番ピンに与える電圧を変えることによって制御したい場合には、
前記基本回路装置において、前記第１ジャンパー１１０の１番ピンと２番ピンを接続し、前記第２ジャンパー１１１の１番ピンと２番ピンを接続して電子回路装置を製造し
ブラシレスモータの出力を前記コネクター１０１の４番ピンに与えるパルス電圧のパルス幅を変えることによって制御したい場合には、
前記基本回路装置に対して、前記基本回路装置を構成する部品に抵抗１０８と、コンデンサー１０９を加えて、
前記抵抗１０８の一端を前記３端子レギュレータ１０２の出力ピンに接続し、
前記抵抗１０８の他端を前記第２ジャンパー１１１の１番ピンに接続し、
前記コンデンサー１０９の一方の電極を前記制御ＩＣ１０５のＶｃｔｌピンに接続し、
前記コンデンサー１０９の他方の電極を接地し、前記第１ジャンパー１１０の１番ピンと２番ピンを接続し、前記第２ジャンパー１１１の１番ピンと２番ピンを接続して電子回路装置を製造する方法。
【請求項７】
ブラシレスモータを制御するための電子回路装置であって、コネクター１０２と、抵抗１０４と、制御ＩＣ１０５と、第１ジャンパー１１０と、第２ジャンパー１１１と、を備え、
前記コネクター１０２の１番ピンは前記制御ＩＣ１０５のＶＭピンに 接続され、前記コネクター１０２の５番ピンは前記制御ＩＣ１０５のＶｃｃピンに接続され、前記抵抗１０４の一端は前記制御ＩＣ１０５のＶｃｔｌピンに接続され、前記抵抗１０４の他端は第２ジャンパー１１１の１番ピンに接続され、前記第２ジャンパー１１１の２番ピンは前記コネクター１０１の４番ピンに接続され、前記コネクター１０１の２番ピンは前記第１ジャンパー１１０の１番ピンに接続された基本回路装置において、
前記ブラシレスモータの出力を前記コネクター１０１の３番ピンと４番ピンを接続するか開放するかによって制御したい場合には、
前記基本回路装置に対して、前記基本回路装置を構成する部品に抵抗１０３を加えて、前記抵抗１０３の一端を前記コネクター１０２の５番ピンに接続し、前記抵抗１０３の他端を前記制御ＩＣ１０５のＶｃｔｌピンに接続し、前記第１ジャンパー１１０の１番ピンと２番ピンを接続し、前記第２ジャンパー１１１の１番ピンと２番ピンを接続して使用し、
前記ブラシレスモータの出力を、直流電源電圧を印加するピンを変えることによって制御したい場合には、
前記基本回路装置に対して、前記基本回路装置を構成する部品に抵抗１０３と、ダイオード１０６と、NPN型トランジスター２０２と、を加えて、前記ダイオード１０６のカソードを前記コネクター１０１の１番ピンに接続し、前記ダイオード１０６のアノードを前記コネクター１０１の２番ピンに接続し、前記抵抗１０３の一端を前記コネクター１０２の５番ピンに接続し、前記抵抗１０３の他端を前記制御ＩＣ１０５のＶｃｔｌピンに接続し、前記NPN型トランジスター２０２のコレクタ ーは前記第２ジャンパー１１１の１番ピンに接続し、前記NPN型トランジスター２０２のベースは前記ダイオード１０６のアノードに接続し、前記NPN型トランジスター２０２のエミッタを接地して使用し、
前記ブラシレスモータの出力を、前記コネクター１０１の４番ピンに与える電圧を変えることによって制御したい場合には、
前記基本回路装置において、前記第１ジャンパー１１０の１番ピンと２番ピンを接続し、前記第２ジャンパー１１１の１番ピンと２番ピンを接続して使用し
ブラシレスモータの出力を前記コネクター１０１の４番ピンに与えるパルス電圧のパルス幅を変えることによって制御したい場合には、
前記基本回路装置に対して、前記基本回路装置を構成する部品に抵抗１０８と、コンデンサー１０９を加えて、
前記抵抗１０８の一端を前記コネクター１０２の５番ピンに接続し、
前記抵抗１０８の他端を前記第２ジャンパー１１１の１番ピンに接続し、
前記コンデンサー１０９の一方の電極を前記制御ＩＣ１０５のＶｃｔｌピンに接続し、
前記コンデンサー１０９の他方の電極を接地し、前記第１ジャンパー１１０の１番ピンと２番ピンを接続し、前記第２ジャンパー１１１の１番ピンと２番ピンを接続して使用することを特徴とする電子回路装置。
【発明の詳細な説明】
【技術分野】
【０００１】
本発明は、ブラシレスモータの出力を制御する電子回路装置に係り、更に詳しくは、出力の異なる種々のブラシレスモータに共通に使用できる電子回路装置に関する。
【背景技術】
【０００２】
近年は、ブラシを有するＤＣモータの代わりに、ブラシレスモータが用いられるようになって来た。ブラシレスモータが広く使用されることに伴い、出力の異なるブラシレスモータを競争力のあるコストで、迅速に供給する必要性が高まっている。
【０００３】
ブラシレスモータの出力を制御するためには、ブラシレスモータを制御する電子回路装置の回路を変更することが必要である。一般的には電子回路装置の回路を変更すると、部品を実装するためのプリント基板の配線構造が変わってしまい、プリント基板を設計変更する必要がある。
【特許文献１】特開平５−１７５６３５号公報
【発明の開示】
【発明が解決しようとする課題】
【０００４】
しかしながら、プリント基板の設計変更には、部品の実装方法の変更に比べると、長い時間と高い費用が必要である。また、プリント基板の種類が増えてしまうと、品種の管理費等も発生してしまい、最終的には、ブラシレスモータのコストアップの要因につながる。
他方、コスト競争力を向上させるためにはブラシレスモータの出力の制御に高価な部品や複雑な回路を使用することはできない。
【０００５】
そこで、本発明は、できるかぎりシンプルな回路と、低価格の部品を用いて、容易に、種々の方法でブラシレスモータの出力を制御し得る電子回路装置を提案する。
【課題を解決するための手段】
【０００６】
上記課題を解決するために、請求項１に記載の発明はブラシレスモータを制御するための電子回路装置に係り、
コネクター１０１と、３端子レギュレータ１０２と、抵抗１０３と、抵抗１０４と、制御ＩＣ１０５を備え、
コネクター１０１の１番ピンは３端子レギュレータ１０２の入力ピンに接続され、前記３端子レギュレータ１０２の出力ピンは抵抗１０３の一端と前記制御ＩＣ１０５のＶｃｃピンとに接続され、前記抵抗１０３の他端は抵抗１０４の 一端と制御ＩＣ１０５のＶｃｔｌピンに接続され、前記抵抗１０４の他端は前記コネクター１０１の４番ピンに接続されて、
ブラシレスモータに高出力を発揮させる場合には、前記コネクター１０１の１番ピンに電源電圧を印加することにより、前記コネクター１０１の１番ピンに与えられた直流電源電圧が前記３端子レギュレータ１０２の入力ピンに入り、前記３端子レギュレータ１０２の出力ピンからの電圧が前記抵抗１０３を通して、前記制御ＩＣ１０５のＶｃｔｌピンに伝わり、
他方、ブラシレスモータに低出力を発揮させる場合には、前記コネクター１０１の３番ピンを接地し、前記コネクター１０１の３番ピンと４番ピンをジャンパーで接続することにより、前記コネクター１０１の１番ピンに与えられた電源電圧が前記３端子レギュレータ１０２の入力ピンに入り、前記３端子レギュレータ１０２の出力ピンからの電圧が前記抵抗１０３と前記抵抗１０４によって分圧され、前記分圧された電圧が前記制御ＩＣ１０５のＶｃｔｌピンに伝わるように構成されていることを特徴としている。
【０００７】
また、請求項２に記載の発明は、ブラシレスモータを制御するための電子回路装置に係り、
コネクター１０１と、３端子レギュレータ１０２と、抵抗１０３と、抵抗１０４と、制御ＩＣ１０５と、ダイオード１０６と、NPN型トランジスター２０２を備え、
コネクター１０１の１番ピンは３端子レギュレータ１０２の入力ピンとダイオード１０６のカソードに接続され、前記３端子レギュレータ１０２の出力ピンは抵抗１０３の一端と前記制御ＩＣ１０５のＶｃｃピンとに接続され、前記抵抗１０３の他端は抵抗１０４の一端と制御ＩＣ１０５のＶｃｔｌピンに接続され、前記抵抗１０４の他端はNPN型トランジスター２０２のコレクターに接続され、前記NPN型トランジスター２０２のベースはコネクター１０１の２番ピンとダイオード１０６のアノードに接続されて、
ブラシレスモータに高出力を発揮させる場合には、前記コネクター１０１の１番ピンに直流電源電圧を印加することにより、前記コネクター１０１の１番ピンに与えられた直流電源電圧が前記３端子レギュレータ１０２の 入力ピンに入り、この際に前記ダイオード１０６はカソードの電圧がアノードの電圧より高いので導通することも無く、NPN型トランジスター２０２もオンしないことにより前記抵抗１０４に電流は流れず、前記３端子レギュレータ１０２の 出力ピンからの電圧が前記抵抗１０３を通して、前記制御ＩＣ１０５のＶｃｔｌピンに伝わり、
他方、ブラシレスモータに低出力を発揮させる場合には、前記  コネクター１０１の２番ピンに直流電源電圧を印加することにより、前記ダイオード１０６のアノードに直流電源電圧が伝わり、前記ダイオード１０６は導通し、 前記直流電源電圧より０．７Ｖ程度低い電圧が前記３端子レギュレータ１０２の入力ピンに入り、また前記コネクター１０１の２番ピンに与えられた直流電源電圧が前記NPN型トランジスター２０２のベースにも伝わることによって、前記NPN型トランジスター２０２がオン状態となって、前記抵抗
１０４に電流が流れ、前記制御ＩＣ１０５のＶｃｔｌピンには、３端子レギュレータ１０２の出力ピンの電位と前記NPN型トランジスター２０２のコレクターの電位の電圧差を前記抵抗１０３と前記抵抗１０４とで分圧した結果の電圧が伝わるように構成されていることを特徴としている。
【０００８】
また、請求項３に記載の発明は、ブラシレスモータを制御するための電子回路装置に係り、
コネクター１０１と、３端子レギュレータ１０２と、抵抗１０４と、制御ＩＣ１０５を備え、
コネクター１０１の１番ピンは３端子レギュレータ１０２の入力ピンに接続され、前記３端子レギュレータ１０２の出力ピンは前記制御ＩＣ１０５のＶｃｃピンに接続され、前記抵抗１０４の一端は制御ＩＣ１０５のＶｃｔｌピンに接続され、前記抵抗１０４の他端は前記コネクター１０１の４番ピンに接続されて、
前記コネクター１０１の４番ピンに与えた制御電圧は前記抵抗１０４を通じて前記制御ＩＣ１０５Ｖｃｔｌピンに伝わることにより、ブラシレスモータの出力を前記コ  ネクター１０１の４番ピンに与える直流電圧の値を変えることによって制御できるように構成されていることを特徴とする。
【０００９】
また、請求項４に記載の発明は、ブラシレスモータを制御するための電子回路装置に係り、
コネクター１０１と、３端子レギュレータ１０２と、抵抗１０４と、抵抗１０８と、コンデンサー１０９と、制御ＩＣ１０５を備え、
コネクター１０１の１番ピンは３端子レギュレータ１０２の入力ピンに接続され、前記３端子レギュレータ１０２の出力ピンは抵抗１０８の一端と前記制御ＩＣ１０５のＶｃｃピンとに接続され、前記抵抗１０８の他端はコネクター１０１の４番ピンと抵抗１０４の一端に接続され、前記抵抗１０４の他端は制御ＩＣ１０５のＶｃｔｌピンとコンデンサー１０９の一端に接続されて、
前記コネクター１０１の４番ピンにパルス状の電圧を与えると、前記電圧は前記 抵抗１０８と、前記コンデンサー１０９によって積分され、前記積分された電圧が前記制御ＩＣ１０５Ｖｃｔｌピンに伝わることにより、ブラシレスモータの出力を前記コ  ネクター１０１の４番ピンに与えるパルス電圧のパルス幅を変えることによって制御できるように構成されていることを特徴としている。
【００１０】
また、請求項５に記載の発明は、ブラシレスモータを制御するための電子回路装置に係り、
コネクター１０１と、３端子レギュレータ１０２と、抵抗１０４と、制御ＩＣ１０５と、第１ジャンパー１１０と、第２ジャンパー１１１と、を備え、
前記コネクター１０１の１番ピンは前記３端子レギュレータ１０２の 入力ピンに接続され、前記３端子レギュレータ１０２の出力ピンは前記制御ＩＣ１０５のＶｃｃピンに接続され、前記抵抗１０４の一端は前記制御ＩＣ１０５のＶｃｔｌピンに接続され、前記抵抗１０４の他端は第２ジャンパー１１１の１番ピンに接続され、前記第２ジャンパー１１１の２番ピンは前記コネクター１０１の４番ピンに接続され、前記コネクター１０１の２番ピンは前記第１ジャンパー１１０の１番ピンに接続された基本回路装置において、
前記ブラシレスモータの出力を前記コネクター１０１の３番ピンと４番ピンを接続するか開放するかによって制御したい場合には、
前記基本回路装置に対して、前記基本回路装置を構成する部品に抵抗１０３を加えて、前記抵抗１０３の一端を前記３端子レギュレータ１０２の出力ピンに接続し、前記抵抗１０３の他端を前記制御ＩＣ１０５のＶｃｔｌピンに接続し、前記第１ジャンパー１１０の１番ピンと２番ピンを接続し、前記第２ジャンパー１１１の１番ピンと２番ピンを接続して使用し、
前記ブラシレスモータの出力を、直流電源電圧を印加するピンを変えることによって制御したい場合には、
前記基本回路装置に対して、前記基本回路装置を構成する部品に抵抗１０３と、ダイオード１０６と、NPN型トランジスター２０２と、を加えて、前記ダイオード１０６のカソードを前記コネクター１０１の１番ピンに接続し、前記ダイオード１０６のアノードを前記コネクター１０１の２番ピンに接続し、前記抵抗１０３の一端を前記３端子レギュレータ１０２の出力ピンに接続し、前記抵抗１０３の他端を前記制御ＩＣ１０５のＶｃｔｌピンに接続し、前記NPN型トランジスター２０２のコレクタ ーは前記第２ジャンパー１１１の１番ピンに接続し、前記NPN型トランジスター２０２のベースは前記ダイオード１０６のアノードに接続し、NPN型トランジスター２０２のエミッタは接地して使用し、
前記ブラシレスモータの出力を、前記コネクター１０１の４番ピンに与える電圧を変えることによって制御したい場合には、
前記基本回路装置において、前記第１ジャンパー１１０の１番ピンと２番ピンを接続し、前記第２ジャンパー１１１の１番ピンと２番ピンを接続して使用し
ブラシレスモータの出力を前記コネクター１０１の４番ピンに与えるパルス電圧のパルス幅を変えることによって制御したい場合には、
前記基本回路装置に対して、前記基本回路装置を構成する部品に抵抗１０８と、コンデンサー１０９を加えて、
前記抵抗１０８の一端を前記３端子レギュレータ１０２の出力ピンに接続し、
前記抵抗１０８の他端を前記第２ジャンパー１１１の１番ピンに接続し、
前記コンデンサー１０９の一方の電極を前記制御ＩＣ１０５のＶｃｔｌピンに接続し、
前記コンデンサー１０９の他方の電極を接地し、前記第１ジャンパー１１０の１番ピンと２番ピンを接続し、前記第２ジャンパー１１１の１番ピンと２番ピンを接続して使用することを特徴としている。
【００１１】
また、請求項６に記載の発明は、ブラシレスモータを制御するための電子回路装置を製造する方法に係り、
最初に、ブラシレスモータを制御するための電子回路装置であって、
コネクター１０１と、３端子レギュレータ１０２と、抵抗１０４と、制御ＩＣ１０５と、第１ジャンパー１１０と、第２ジャンパー１１１と、を備え、
前記コネクター１０１の１番ピンは前記３端子レギュレータ１０２の 入力ピンに接続され、前記３端子レギュレータ１０２の出力ピンは前記制御ＩＣ１０５のＶｃｃピンに接続され、前記抵抗１０４の一端は前記制御ＩＣ１０５のＶｃｔｌピンに接続され、前記抵抗１０４の他端は第２ジャンパー１１１の１番ピンに接続され、前記第２ジャンパー１１１の２番ピンは前記コネクター１０１の４番ピンに接続され、前記コネクター１０１の２番ピンは前記第１ジャンパー１１０の１番ピンに接続した基本回路装置を製造し、
前記ブラシレスモータの出力を前記コネクター１０１の３番ピンと４番ピンを接続するか開放するかによって制御したい場合には、
前記基本回路装置に対して、前記基本回路装置を構成する部品に抵抗１０３を加えて、前記抵抗１０３の一端を前記３端子レギュレータ１０２の出力ピンに接続し、前記抵抗１０３の他端を前記制御ＩＣ１０５のＶｃｔｌピンに接続し、前記第１ジャンパー１１０の１番ピンと２番ピンを接続し、前記第２ジャンパー１１１の１番ピンと２番ピンを接続して電子回路装置を製造し、
前記ブラシレスモータの出力を、直流電源電圧を印加するピンを変えることによって制御したい場合には、
前記基本回路装置に対して、前記基本回路装置を構成する部品に抵抗１０３と、ダイオード１０６と、NPN型トランジスター２０２と、を備え加えて、前記ダイオード１０６のカソードを前記コネクター１０１の１番ピンに接続し、前記ダイオード１０６の アノードを前記コネクター１０１の２番ピンに接続し、前記抵抗１０３の一端を前記３端子レギュレータ１０２の出力ピンに接続し、前記抵抗１０３の他端を前記制御ＩＣ１０５のＶｃｔｌピンに接続し、前記NPN型トランジスター２０２のコレクターは前記第２ジャンパー１１１の１番ピンに接続し、前記NPN型トランジスター２０２のベースは前記ダイオード１０６のアノードに接続し、NPN型トランジスター２０２のエミッタは接地して電子回路装置を製造し、
前記ブラシレスモータの出力を、前記コネクター１０１の４番ピンに与える電圧を変えることによって制御したい場合には、
前記基本回路装置において、前記第１ジャンパー１１０の１番ピンと２番ピンを接続し、前記第２ジャンパー１１１の１番ピンと２番ピンを接続して電子回路装置を製造し
ブラシレスモータの出力を前記コネクター１０１の４番ピンに与えるパルス電圧のパルス幅を変えることによって制御したい場合には、
前記基本回路装置に対して、前記基本回路装置を構成する部品に抵抗１０８と、コンデンサー１０９を加えて、
前記抵抗１０８の一端を前記３端子レギュレータ１０２の出力ピンに接続し、
前記抵抗１０８の他端を前記第２ジャンパー１１１の１番ピンに接続し、
前記コンデンサー１０９の一方の電極を前記制御ＩＣ１０５のＶｃｔｌピンに接続し、
前記コンデンサー１０９の他方の電極を接地し、前記第１ジャンパー１１０の１番ピンと２番ピンを接続し、前記第２ジャンパー１１１の１番ピンと２番ピンを接続して電子回路装置を製造することを特徴とする。
【００１２】
また、請求項７に記載の発明は、ブラシレスモータを制御するための電子回路装置に係り、
ブラシレスモータを制御するための電子回路装置であって、コネクター１０２と、抵抗１０４と、制御ＩＣ１０５と、第１ジャンパー１１０と、第２ジャンパー１１１と、を備え、
前記コネクター１０２の１番ピンは前記制御ＩＣ１０５のＶＭピンに 接続され、前記コネクター１０２の５番ピンは前記制御ＩＣ１０５のＶｃｃピンに接続され、前記抵抗１０４の一端は前記制御ＩＣ１０５のＶｃｔｌピンに接続され、前記抵抗１０４の他端は第２ジャンパー１１１の１番ピンに接続され、前記第２ジャンパー１１１の２番ピンは前記コネクター１０１の４番ピンに接続され、前記コネクター１０１の２番ピンは前記第１ジャンパー１１０の１番ピンに接続された基本回路装置において、
前記ブラシレスモータの出力を前記コネクター１０１の３番ピンと４番ピンを接続するか開放するかによって制御したい場合には、
前記基本回路装置に対して、前記基本回路装置を構成する部品に抵抗１０３を加えて、前記抵抗１０３の一端を前記コネクター１０２の５番ピンに接続し、前記抵抗１０３の他端を前記制御ＩＣ１０５のＶｃｔｌピンに接続し、前記第１ジャンパー１１０の１番ピンと２番ピンを接続し、前記第２ジャンパー１１１の１番ピンと２番ピンを接続して使用し、
前記ブラシレスモータの出力を、直流電源電圧を印加するピンを変えることによって制御したい場合には、
前記基本回路装置に対して、前記基本回路装置を構成する部品に抵抗１０３と、ダイオード１０６と、NPN型トランジスター２０２と、を加えて、前記ダイオード１０６のカソードを前記コネクター１０１の１番ピンに接続し、前記ダイオード１０６のアノードを前記コネクター１０１の２番ピンに接続し、前記抵抗１０３の一端を前記コネクター１０２の５番ピンに接続し、前記抵抗１０３の他端を前記制御ＩＣ１０５のＶｃｔｌピンに接続し、前記NPN型トランジスター２０２のコレクタ ーは前記第２ジャンパー１１１の１番ピンに接続し、前記NPN型トランジスター２０２のベースは前記ダイオード１０６のアノードに接続し、前記NPN型トランジスター２０２のエミッタを接地して使用し、
前記ブラシレスモータの出力を、前記コネクター１０１の４番ピンに与える電圧を変えることによって制御したい場合には、
前記基本回路装置において、前記第１ジャンパー１１０の１番ピンと２番ピンを接続し、前記第２ジャンパー１１１の１番ピンと２番ピンを接続して使用し
ブラシレスモータの出力を前記コネクター１０１の４番ピンに与えるパルス電圧のパルス幅を変えることによって制御したい場合には、
前記基本回路装置に対して、前記基本回路装置を構成する部品に抵抗１０８と、コンデンサー１０９を加えて、
前記抵抗１０８の一端を前記コネクター１０２の５番ピンに接続し、
前記抵抗１０８の他端を前記第２ジャンパー１１１の１番ピンに接続し、
前記コンデンサー１０９の一方の電極を前記制御ＩＣ１０５のＶｃｔｌピンに接続し、
前記コンデンサー１０９の他方の電極を接地し、前記第１ジャンパー１１０の１番ピンと２番ピンを接続し、前記第２ジャンパー１１１の１番ピンと２番ピンを接続して使用することを特徴とする。
【発明の効果】
【００１３】
請求項１に記載の発明によれば、コネクター１０１の３番ピンと４番ピンとの間を開放にするかショートするかで、 出力の異なるブラシレスモータを製造することができる。コネクター１０１の３番ピンと４番ピンとの間を開放にするかショートするかの制御は、例えば、コネクター１０１の３番ピンと４番ピンとの間にジャンパーを入れればショートし、入れなければ開放とでき、非常に安価かつ容易に出力の異なるブラシレスモータを製造できる。
【００１４】
また、請求項２に記載の発明によれば、
コネクター１０１の１番ピンに直流電源電圧が印加されるように、電源ケーブルをコネクター１０１に接続すれば、ブラシレスモータは高出力を得られ、コネクター１０１の２番ピンに直流電源電圧が印加されるように、電源ケーブルをコネクター１０１に接続すればブラシレスモータは低出力を得られる。よって、電源ケーブルとコネクター１０１の接続配置の変更だけ非常に安価かつ容易に出力の異なるブラシレスモータを製造できる。
また、製造後に、電源ケーブルとコネクター１０１の接続配置の変更をするだけで、ブラシレスモータの出力を変えることができる。
【００１５】
また、請求項３に記載の発明によれば、
コネクター１０１の４番ピンに印加する直流電源電圧の電圧を変化させるだけで、ブラシレスモータの出力を変えることができる。
【００１６】
また、請求項４に記載の発明によれば、
コネクター１０１の４番ピンに与えるパルス電圧のパルス幅を変えるだけで、  ブラシレスモータの出力を制御できる。
【００１７】
また、請求項５に記載の発明によれば、
一種類の基本回路装置に対して、数個の安価な部品を追加して、必要に応じて、ジャンパーを短絡または開放にするだけで、種々の方法により、ブラシレスモータの出力を制御しうるブラシレスモータ制御用の電子回路装置を安価かつ迅速に製造できる。
【００１８】
また、請求項６に記載の発明によれば、
一種類の基本回路装置に対して、数個の安価な部品を追加して、必要に応じて、ジャンパーを短絡または開放にするだけで、種々の方法により、ブラシレスモータの出力を制御しうるブラシレスモータ制御用の電子回路装置を安価かつ迅速に製造できる。
【００１９】
また、請求項７に記載の発明によれば、
３端子レギュレータを使用する代わりに、外部電源を使用して、制御用ＩＣ等の電源とする場合においても、
一種類の基本回路装置に対して、数個の安価な部品を追加して、必要に応じて、ジャンパーを短絡または開放にするだけで、種々の方法により、ブラシレスモータの出力を制御しうるブラシレスモータ制御用の電子回路装置を安価かつ迅速に製造できる。
【発明を実施するための最良の形態】
【００２０】
以下、図を参照しつつ、発明を実施するための最良の形態につき説明する。
【００２１】
図１は、４種類のブラシレスモータの出力を制御する電子回路制御装置を製造する際に基本となり共通して使用するプリント基板の構成を示すブロック図である。
【００２２】
図１において、１００は基本回路装置である。１０１はコ  ネクターである。１０６はダイオードである、ただし、基本回路装置の状態では、ダイオード１０１は実装されてはおらず、実装できるように配線のみがプリント基板上の形成されている。１０２は3端子レギュレータである。１０８は抵抗である。ただし、基本回路装置の状態では、抵抗１０８は実装されてはおらず、実装できるように配線のみがプリント基板上の形成されている。１０３は抵抗である。ただし、基本回路装置の状態では、抵抗１０３は実装されてはおらず、実装できるように配線のみがプリント基板上の形成されている。１０５はブラシレスモータを制御する制御ＩＣである。該制御ＩＣ１０５はＶｃｔｌピンに印加される電圧が高いとブラシレスモータの出力を高出力とし、低いと低出力とする仕様である。１１０は第１ジャンパーである。１１１は第２ジャンパーである。１０９はコンデンサーである。ただし、基本回路装置の状態では、コンデンサー１０９は実装されてはおらず、実装できるように配線のみがプリント基板上の形成されている。２０２はＮＰＮトランジスターである。ただし、基本回路装置の状態では、ＮＰＮトランジスター２０２は実装されてはおらず、実装できるように配線のみがプリント基板上の形成されている。なお、１１３に示す三角印は接地されていることを示す。他の三角印においても同様である。
【００２３】
本発明においては、図１に示した基本回路装置１００において、点線で示した部品を適切に実装することにより４種類のブラシレスモータの出力を制御する電子回路制御装置を製造することができ、それぞれの電子回路制御装置は異なる方法によりブラシレスモータの出力を制御することができる。以下、順に説明する。
（ジャンパーによる2段切り替えの場合）
この場合はコネクター１０１の3番ピンと４番ピンを短絡するか否かにより、ブラシレスモータの出力をＨＩＧＨ（高出力）とＬＯＷ（低出力）に切り替えることが可能なブラシレスモータの出力を制御する電子回路制御装置に係るものである。
【００２４】
図２の(a)はジャンパーによる2段切り替えの場合の電子回路制御装置の構成を示すブロック図である。この場合においては、抵抗１０３が基本回路装置１００に追加して実装されている。また、コネクター１０１の1番ピンは直流電源に接続し、コネクター１０１の3番ピンは接地する。さらに、第１ジャンパ ー１１０と第２ジャンパー１１１の双方ともジャンパーを短絡している。この状態の電子回路制御装置においては、コネクター１０１の3番ピンと４番ピンを開放すると、ブラシレスモータは 高出力動作となり、短絡すると低出力動作となる。
【００２５】
図２の(b)はコネクター１０１の3番ピンと４番ピンを開放した場合に制御ＩＣ１０５のＶｃｔｌピンに伝わる電圧値を示す回路図である。図２の(b)において、２０３は、コネクター１０１の1番ピンに与えられている直流電源電圧を示す。２０４は抵抗１０４の一端がコネクター１０１の３番ピンと４番ピンとが短絡していないことにより、抵抗１０４がフローティング状態となっていることを示すものである。図２の(b)からわかるように、制御ＩＣ１０５のＶｃｔｌピンには３端子レギュレータ１０２の出力ピンの電圧にほぼ等しい電圧が印加される。
【００２６】
図２の(c)はコネクター１０１の3番ピンと４番ピンを短絡した場合に制御ＩＣ１０５のＶｃｔｌピンに伝わる電圧値を示す回路図である。２０６は抵抗１０４の一端がコネクター１０１の３番ピンと４番ピンが短絡されていることにより接地されることを示すものである。
この場合には制御ＩＣ１０５のＶｃｔｌピンには３端子レギュレータ１０２の出力ピンの電圧を抵抗１０３と抵抗１０４によって分圧した電圧が印加される。この結果、制御ＩＣ１０５のＶｃｔｌピンに印加される電圧はコネクター１０１の3番ピンと４番ピンを開放した場合に制御ＩＣ１０５のＶｃｔｌピンに伝わる電圧値より低いものとなり、ブラシレスモータは低出力動作となる。
（電源接続位置切り替えによる２段切り替えの場合）
この場合は直流電源電圧をコネクター１０１の１番ピンか２番ピンのどちらに与えるかによって、ブラシレスモータの出力をＨＩＧＨ（高出力）とＬＯＷ（低出力）に切り替えることが可能なブラシレスモータの出力を 制御する電子回路制御装置に係るものである。
【００２７】
図３の(a)は電源接続位置切り替えによる段切り替えの 場合の電子回路制御装置の構成を示すブロック図である。この場合においては、抵抗１０３と、ダイオード１０６と、NPN型トランジスター２０２と、が基本回路装置１００に追加して実装されている。また、コネクター１０１の3番ピンは接地する。この状態の電子回路制御装置においては、コネクター１０１の１番ピンを直流電源電圧に接続するとブラシレスモータは高出力動作となり、コネクター１０１の２番ピンを直流電源電圧に接続すると低出力 動作となる。
【００２８】
図３の(b)はコネクター１０１の１番ピンを直流電源電圧に接続すると、制御ＩＣ１０５のＶｃｔｌピンに伝わる電圧値を示す回路図である。図３の(b)において、３０１は、コネクター１０１の1番ピンに与えられている直流電源電圧を示す。コネクター１０１の1番ピンに直流電源電圧を与えてもダイオード１０６はカソード側に高電圧が与えられることになるため導通しない。その結果、NPN型トランジスター２０２のもオンしない。NPN型トランジスター２０２がオンしないことにより、抵抗１０４には電流が流れず、３端子レギュレータ１０２の出力ピンの電圧とほぼ同じ電圧が制御ＩＣ１０５のＶｃｔｌピンに伝わることになり、ブラシレスモータは高出力動作となる。
【００２９】
図３の(c)はコネクター１０１の２番ピンを直流電源電圧に接続した場合に制御ＩＣ１０５のＶｃｔｌピンに伝わる電圧値を示す回路図である。３０２はコネクター１０１の２番ピンに与えられている直流電源電圧を示す。コネクター１０１の２番ピンに直 流電源電圧を与えるとダイオード１０６のアノード側に高電圧が与えられることになりダイオード１０６は導通する。その結果、NPN型トランジスター２０２のベースに直流電源電圧より０．７ボルト程度低いだけの電圧が加わりNPN型トランジスター２０２がオンする。NPN型トランジスター２０２がオンすると、抵抗１０４には電流が流れ、制御ＩＣ１０５のＶｃｔｌピンには３端子レギュレータ１０２の出力ピンの電圧から抵抗１０３に流れる電流による電圧降下分を差し引いた電圧が伝わることになり、ブラシレスモータは低出力動作となる。
（印加する電圧を直接変化させて制御する場合）
図４の(a)は直流電源電圧をコネクター１０１の４番ピンに印加する電圧を変えることによってブラシレスモータの出力を切り替える場合の電子回路制御装置の構成を示すブロック図である。この場合には、追加して実装する部品はないが、第１ジャンパーと第２ジャンパーとをそれぞれ短絡する。この状態の電子回路制御装置においては、コネクター１０１の４番ピンに印加する電圧を変えることによってブラシレスモータの出力を制御することができる。
【００３０】
図４の(b)はコネクター１０１の４番ピンに与える電圧が制御ＩＣ１０５のＶｃｔｌピンに伝わる様子を示す回路図である。図４の(b)において、４０１は、コネクター１０１の1番ピンに与えられている直流電源電圧を示す。４０２はコネクター１０１の４番ピンに与えられる可変電圧を示す。この電子回路装置においてはコネクター１０１の４番ピンは抵抗１０４を通って制御ＩＣ１０５のＶｃｔｌピンにつながっている。従って、コネクター１０１の４番ピンに与える電圧を変化させることにより、制御ＩＣ１０５のＶｃｔｌピンに加わる電圧は変化する。よって、ブラシレスモータの出力をコネクター１０１の４番ピンに与える電圧を変えることによって、ブラシレスモータの出力を直接的に制御することができる。
（オープンコレクターのパルス電圧を加えて制御する場合）
この場合はオープンコレクターのパルス電圧をコネクター１０１の４番ピンに印加し、パルスのデューティ比を変えることによってブラシレスモータの出力を切り替えることが可能なブラシレスモータの出力を制御する電子回路制御装置に係るものである。
【００３１】
図５の(a)はオープンコレクターのパルス電圧を４番ピンに加えて、パルスのデューティ比を変えることによってブラシレスモータの出力を切り替える場合の電子回路制御装置の構成を示すブロック図である。この場合においては、抵抗１０８と、コンデンサー１０９が基本回路装置１００に追加し、また、第１ジャンパーと第２ジャンパーとをそれぞれ短絡する。この状態の電子回路制御装置においては、コネクター１０１の４番ピンに印加するパルスのデューティ比を変えることによってブラシレスモータは出力を制御することができる。以下、説明する。
【００３２】
図５の(b)はコネクター１０１の４番ピンに与えるパルス電圧が、抵抗１０４とコンデンサ ー１０９が形成する積分回路によって積分されて、制御ＩＣ１０５のＶｃｔｌピンに伝わる様子を示す回路図である。図５の(b)において、４０１は、コネクター１０１の1番ピンに与えられている直流電源電圧を示す。５０１はコ  ネクター１０１の４番ピンに与えられるパルス電圧を示す。抵抗１０８がオープンコレクターに対するプルアップ抵抗である。
制御ＩＣ１０５のＶｃｔｌピンには抵抗１０４とコンデンサー１０９が形成する積分回路によって積分された後の 電圧が印加される。
図５の(c)はパルス電圧とデューティ比を示す波形図である。デューティ比が１００％に接近するほど、抵抗１０４とコンデンサー１０９が形成する積分回路によって積分された後の電圧は高電圧になる。よって、該デューティ比を変えることによって、ブラシレスモータの出力を直接的に制御することができる。
（効果）
以上、説明したように、基礎となるプリント基板である同じ基本回路装置１００を使用して、数個の安価な部品を実装するか否かということと、ジャンパーを短絡するか否かということと、コネクター１０１のピンをどのように接続するかという操作によって、 各種の方法によって、ブラシレスモータの出力を制御することができ、製品の製造コスト及び納期を改善することが可能となる。
なお、以上の実施の形態においては、制御用ＩＣ１０５等の電源のために３端子レギュレータ１０２を使用しているが、３端子レギュレータ１０２を使用せず、外部電源を使用することも可能である。図６はこの場合の基本回路装置のブロック図である。この場合には、制御用ＩＣ１０５のＶｃｃピンは、コネクター１０２の5番ピンに接続されている。コネクター１０２のピンは４ピンではなく５ピンであり、５番ピンに外部電源が接続される。また、抵抗１０８、抵抗１０３が実装される場合には両抵抗の一端もコネクター１０２の5番ピンに接続される。この接続方法が異なること以外はこの装置の使用の仕方も効果も３端子レギュレータ１０２が実装されている場合と同様であるので説明は省略する。
【図面の簡単な説明】
【００３３】
【図１】図１は、４種類のブラシレスモータの出力を 制御する電子回路制御装置を製造する際に基本となり共通して使用するプリント基板の構成を示すブロック図である。
【図２】図２の(a)はジャンパーによる2段切り替えの場合の電子回路制御装置の構成を示すブロック図である。図２の(b)はコネクター１０１の3番ピンと４番ピンを開放した場合に制御ＩＣ１０５のＶｃｔｌピンに伝わる電圧値を示す回路図である。図２の(c)はコネクター１０１の3番ピンと４番ピンを短絡した場合に制御ＩＣ１０５のＶｃｔｌピンに伝わる電圧値を示す回路図である。
【図３】図３の(a)は電源接続位置切り替えによる段切り替えの 場合の電子回路制御装置の構成を示すブロック図である。図３の(b)はコネクター１０１の１番ピンを直流電源電圧に接続すると、制御ＩＣ１０５のＶｃｔｌピンに伝わる電圧値を示す回路図である。図３の(c)はコネクター１０１の２番ピンを直 流電源電圧に接続した場合に制御ＩＣ１０５のＶｃｔｌピンに伝わる電圧値を示す回路図である。
【図４】図４の(a)は直流電源電圧をコネクター１０１の４番ピンに印加する電圧を変えることによってブラシレスモータの出力を切り替える場合の電子回路制御装置の構成を示すブロック図である。図４の(b)はコネクター１０１の４番ピンに与える電圧が制御ＩＣ１０５のＶｃｔｌピンに伝わる様子を示す回路図である。
【図５】図５の(a)はオープンコレクターのパルス電圧を４番ピンに加えて、パルスのデューティ比を変えることによってブラシレスモータの出力を切り替える場合の電子回路制御装置の構成を示すブロック図である。図５の(b)はコネクター１０１の４番ピンに与えるパルス電圧が、抵抗１０４とコンデンサー１０９が形成する積分回路によって積分されて、制御ＩＣ１０５のＶｃｔｌピンに伝わる様子を示す回路図である。図５の(c)はパルス電圧とデューティ比を示す波形図である。
【図６】図６は、制御用ＩＣ等のＶｃｃ電源のために３端子レギュレータ１０２を使用せずに、外部電源を使用する場合の、４種類のブラシレスモータの出力を制御する電子回路制御装置を製造する際に基本となり共通して 使用するプリント基板の構成を示すブロック図である。
【符号の説明】
【００３４】
１００      基本回路装置
１０１      コネクター
１０２      ３端子レギュレータ
１０３      抵抗
１０４      抵抗
１０５      制御ＩＣ
１０６      ダイオード
１０８      抵抗
１０９      コンデンサー
１１０      第１ジャンパー
２０２      ＮＰＮトランジスター
２０３      コネクター１０１の1番ピンに与えられている直流電源電圧
２０４      抵抗１０４の一端がコネクター１０１の４番ピンと３番ピンとが短絡していないことにより、抵抗１０４がフローティング状態となっていることを示すもの
２０６      抵抗１０４の一端がコネクター１０１の３番ピンと４番ピンが短絡されていることにより接地されることを示すもの
３０１      コネクター１０１の1番ピンに与えられている直流電源電圧
３０２      コネクター１０１の２番ピンに与えられている直流電源電圧
４０１      直流電源電圧
４０２      可変電圧
５０１      パルス電圧
【図１】
2006345632.tif 000003
【図２】
2006345632.tif 000004
【図３】
2006345632.tif 000005
【図４】
2006345632.tif 000006
【図５】
2006345632.tif 000007
【図６】
2006345632.tif 000008